(57)【要約】【課題】開封時に看板を直角に起立させた時の高さが十分あり、看板としての効果が箱の側面に限られず箱の上部でも発揮できる構造の開封機能付き紙箱を提供すること【解決手段】天面板に設けた２本の切れ目線と罫線により天面板を開封・起立保持する紙箱であって、２本のＺ字状切れ目線と、開口部に平行に設けられた折罫線からなり、折罫線で天面板の前方部を折り曲げると、切れ目線で設けられた端面同士が接触係合することにより天面板が開封・起立保持する開封機能付き紙箱【選択図】図１
2010173707.tif 000002
【特許請求の範囲】
【請求項１】
天面板に設けた２本の切れ目線と罫線により天面板を開封・起立保持する紙箱であって、開封・起立保持する天面板の前方部から非開封・起立しない後方部へ側面側に広がるように設けられた第１切れ目線と、第１切れ目線と連続し側面側から内側に向かって設けられた第２切れ目線と、第２切れ目線に連続して第１切れ目線よりも幅広に広がるように設けられた第３切れ目線からなる２本のＺ字状切れ目線と、
天面板の２本のＺ字状切れ目線の間で、第１、第２、第３切れ目線のそれぞれの端部をつなぐ折罫線と第３切れ目線に接するようにＺ字状切れ目線の間以外で開口部に平行に設けられた折罫線からなり、
折罫線で天面板の前方部を折り曲げると、第３切れ目線で設けられた端面と第２切れ目線で設けられた端面が接触係合することにより天面板が開封・起立保持することを特徴とする開封機能付き紙箱。
【請求項２】
２本の切れ目線の各々の第１切れ目線の開始部と第３切れ目線の開始部が折罫線に垂直な同一直線上に設けられたことを特徴とする請求項１に記載の開封機能付き紙箱。
【発明の詳細な説明】
【技術分野】
【０００１】
本発明は、内部に物品を収容する紙箱に関する。特に輸送箱として本来の使命を果たした後、店頭で簡単な作業により展示陳列することが可能なラップラウンドカートンに関する。
【背景技術】
【０００２】
商品の輸送陳列兼用可能な紙箱に関する先行技術として次のものがある。
【０００３】
特許文献１においては、包装箱における看板起立手段の先行例として天面のフラップを外側に折り曲げ起立させて看板として用いてフラップ先端部を背面下側のスリットに差し込むことにより看板の起立状態を維持する構造が提案されている。
【０００４】
この構造においては、看板を起立させた時の高さが天面のフラップを折り曲げた位置から背面下側のスリットの位置までであり、看板としての効果を有する部分がそれからさらに包装箱側面の高さを差し引いた高さしかないために十分な展示効果が得られないことがある。この場合に看板の高さを高くするためには天面フラップの長さを延長する必要があるが、一般的なラップラウンドケースにおいては天面板のみを箱の長さ以上に延長することは困難である。
【０００５】
また、上部フラップを箱の外側に折り曲げて看板として用いる場合の折り曲げ状態の係止方法として例えば以下の構造が提案されている。
【０００６】
特許文献２においては、箱の側面板から蓋フラップに至る２条の切り込みを設けてなり、蓋フラップを罫線を介して側面板の外面に向けて折返し、２条の切り込みで挟まれた切込部分を倒して切り込み間に係止出来るようにした包装箱が提案されている。
【０００７】
特許文献３においては、さらに、係止方法として切込部分を形成する２条の切り込み線を同方向に傾斜させることによって親指で簡単に蓋フラップを折り返し状態でロックできる構造が提案されている。
【０００８】
上記特許文献２、３に開示された係止方法では、蓋フラップを側壁に沿って１８０度折り返した状態での固定となり、看板としての効果が箱の側面に限られるために展示効果が制限されるという問題があった。
【先行技術文献】
【特許文献】
【０００９】
【特許文献１】実開昭６０−４１３１７号公報
【特許文献２】実開平２−８７７１８号公報
【特許文献３】特開２００３−２８５８２８号公報
【発明の概要】
【発明が解決しようとする課題】
【００１０】
天面板を看板として開封・起立保持する紙箱であって、開封時に看板を直角に起立させた時の高さが十分あり、看板としての効果が箱の側面に限られず箱の上部でも発揮できる構造の開封機能付き紙箱を提供することが本発明の課題である。
【課題を解決するための手段】
【００１１】
上記課題を解決するための請求項１の発明は、天面板に設けた２本の切れ目線と罫線により天面板を開封・起立保持する紙箱であって、開封・起立保持する天面板の前方部から非開封・起立しない後方部へ側面側に広がるように設けられた第１切れ目線と、第１切れ目線と連続し側面側から内側に向かって設けられた第２切れ目線と、第２切れ目線に連続して第１切れ目線よりも幅広に広がるように設けられた第３切れ目線からなる２本のＺ字状切れ目線と、天面板のＺ字状切れ目線の間で、第１、第２、第３切れ目線の前端部をつなぐ折罫線と、第３切れ目線に接するようにＺ字状切れ目線の間以外で開口部に平行に設けられた折罫線からなり、折罫線で天面板の前方部を折り曲げると、第３切れ目線で設けられた端面と第２切れ目線で設けられた端面が接触係合することにより天面板が開封・起立保持することを特徴とする開封機能付き紙箱である。
【００１２】
請求項２の発明は、２本の切れ目線の各々の第１切れ目線の開始部と第３切れ目線の開始部が折罫線に垂直な同一直線上に設けられたことを特徴とする請求項１に記載の開封機能付き紙箱である。
【発明の効果】
【００１３】
本発明の請求項１に示した開封機能付き紙箱では、２本の切れ目線は開封・起立保持する天面板の前方部から非開封・起立しない後方部へ側面側に広がるように設けられた第１切れ目線と、第１切れ目線と連続し側面側から内側に向かって設けられた第２切れ目線と、第２切れ目線に連続して第１切れ目線よりも幅広に広がるように設けられた第３切れ目線からなるＺ字状切れ目線からなり、第３切れ目線に接するようにＺ字状切れ目線の間以外で開口部に平行に設けられた折罫線からなることから、折罫線で天面板の前方部を立ち上げる方向に折り曲げると、第３切れ目線と第２切れ目線で形成された鋭角端面と第２切れ目線と第１切れ目線で形成された鋭角端面が接触係合することにより起立した天面板が起立状態を保持する。
【００１４】
天面板のＺ字状切れ目線の間で、第１、第２、第３切れ目線の前端部をつなぐ折罫線と第３切れ目線に接するようにＺ字状切れ目線の間以外で開口部に平行に設けられた折罫線からなることにより、例えば天面板を看板として用いる場合には看板の起立基線折罫線で天面板の前方部を折り曲げると、切れ目線で分離すると同時にＺ字状切れ目線の間の領域での折り曲げ位置が固定し、安定した角度での看板の起立が可能になる。
【００１５】
以上により、天面板の前方部を起立させることによって折り曲げる場合に比べるとより高く面積も広い訴求力のある看板部分を容易に形成できる開封機能付き紙箱が得られる。
【００１６】
本発明の請求項２に示した開封機能付き紙箱は、２本の切れ目線の各々の第１切れ目線の開始部と第３切れ目線の開始部が折罫線に垂直な同一直線上に設けられたことによって開封時に天面板を起立させる時に切れ目線の分離が均一に行われ、接触係止する鋭角部分も必要な大きさで確保されるので起立状態の保持がし易い。
【００１７】
このように、本発明の天面板を看板として開封・起立保持する紙箱によれば、開封時に看板を直角に起立させた時の高さが十分あり、看板としての効果が箱の側面に限られず箱の上部でも発揮できる構造の開封機能付き紙箱を提供することが出来る。
【図面の簡単な説明】
【００１８】
【図１】本発明の開封機能付き紙箱の一実施形態のブランク例
【図２】本発明の開封機能付き紙箱の一実施形態の概略図（開封前）（１）上方から見た平面図（２）側面から見た概略図
【図３】本発明の開封機能付き紙箱の一実施形態の概略図（開封後）（１）上方から見た概略図（２）側面から見た概略図
【図４】本発明の開封機能付き紙箱の他の実施形態のブランク例
【発明を実施するための形態】
【００１９】
以下に添付の図面を参照し、本発明に係る開封機能付き紙容器の一実施形態を説明する。
【００２０】
図１は本発明の開封機能付き紙箱の一実施形態のブランク例である。図２は、本発明の開封機能付き紙箱の一実施形態の開封前の概略図であり、（１）は上方から見た平面図（２）は側面から見た概略図である。図３は、本発明の開封機能付き紙箱の一実施形態の開封後の概略図であり、（１）は上方から見た概略図（２）は側面から見た概略図である。図４は本発明の開封機能付き紙箱の他の実施形態のブランク例である。
【００２１】
本発明の開封機能付き紙箱にあっては紙箱上の天面板を看板として開封・起立する方向は縦横いずれでもよいが以下の説明では図１に示したブランクを用いた場合について図面に基づいて説明し、他の方向については図４にひとつのブランク例を示して説明は省略する。なお、図面上で本発明と直接関係のない部分の符号は適宜省略する。
【００２２】
本発明の開封機能付き紙箱は、図１及び図２に示すように、天面板に、看板として起立保持させる部分の基部となる位置の中央部にＺ字状の切り込み線および看板基部罫線より適宜ずらした罫線を設けることによりきわめて容易に看板を開封・起立保持可能とするものである。
【００２３】
図１は本発明の開封機能付き紙箱の一実施形態のブランク例を示しており、天面板（１１）、側面板（１２）、（１３）、底面板（１４）およびそれぞれに連接されたフラップ（図示せず）により構成されている。側面板（１３）にはさらに接着フラップ（１５）が連接されている。
このブランクの打ち抜きおよびこのブランクからの箱の組み立ては周知の方法で行う。
【００２４】
図１において、切断手段（６Ａ）、切断手段（６Ｂ）は開封時に側面板（１２）、側面板（１３）を切断するための手段であり、切断手段（９Ａ）、切断手段（９Ｂ）は開封時に側面板（１２）および側面板（１３）の上下を切り離すための手段である。
【００２５】
なお、上記の切断手段での切り離しを容易にするために切出口（７Ａ）、切出口（７Ｂ）が切断手段線上に設けられており、切断手段に沿って前方および後方のいずれの方向へも切り離しが出来るようになっている。看板を立てるという本発明の開封機能付き紙箱の通常の使用法では切出口後方への切断手段に沿った切り離しは不要であるが、大量展示で積み重ね陳列が必要とされる場合には切出口（７Ａ）、切出口（７Ｂ）から後方に向けて切断手段（９Ａ）、切断手段（９Ｂ）に沿って箱本体上部を切り離すことによって上部全面が開放されたトレーとすることが出来るのでより効果的な積み重ね陳列が可能となる。
【００２６】
天面板（１１）と側面板（１２）、側面板（１３）の稜線部となる境界の一部に設けられたジッパー等の切断手段（８Ａ）、切断手段（８Ｂ）および天面板（１１）前方の開封・起立保持する看板部（１１Ａ）の起立後に上部となる前方境界部に設けられた切断手段（１０）は開封時に開封・起立保持する天面板の前方部（看板部）（１１Ａ）から非開封・起立しない後方部（１１Ｂ）の境界である看板基部罫線（２）に沿って看板部を起立させる時に看板部輪郭を天面板から切り離すことを容易にする。
【００２７】
図２は本発明の開封機能付き紙箱の一実施形態の開封前の概略図であり、（１）は上方から見た平面図（２）は側面から見た概略図である。
【００２８】
図２では、天面板に設けた２本の切れ目線と罫線により天面板（１１）を開封・起立保持する紙箱であって、開封・起立保持する天面板の前方部（看板部）（１１Ａ）から非開封・起立しない後方部（１１Ｂ）へ側面側に広がるように設けられた第１切れ目線（１Ａ１）、（１Ｂ１）と、第１切れ目線と連続し側面側から内側に向かって設けられた第２切れ目線（１Ａ２）、（１Ｂ２）と、第２切れ目線に連続して第１切れ目線よりも幅広に広がるように設けられた第３切れ目線（１Ａ３）、（１Ｂ３）からなる２本のＺ字状切れ目線（１Ａ）、（１Ｂ）と、天面板のＺ字状切れ目線（１Ａ）とＺ字状切れ目線（１Ｂ）の間で、各々の第１切れ目線（１Ａ１）、（１Ｂ１）の前端部をつなぐ折罫線（５）、第２切れ目線（１Ａ２）、（１Ｂ２）、の前端部をつなぐ折罫線（４）第３切れ目線（１Ａ３）、（１Ｂ３）の前端部をつなぐ折罫線（３）と第３切れ目線に接するようにＺ字状切れ目線の間以外で開口部に平行に設けられた折罫線（２）を設けた天面板の箱上方から見た平面図を示した。
【００２９】
図２（１）に示したように２本のＺ字状切れ目線（１Ａ）、（１Ｂ）の各々の第１切れ目線の開始部と第３切れ目線の開始部が折罫線に垂直な同一直線（Ａ）、（Ｂ）上に設けられたことによって開封時に天面板を起立させる時に切れ目線の分離が均一に行われ、接触係止する鋭角部分も必要な大きさで確保されるので起立状態の保持がし易い。
【００３０】
図３は本発明の開封機能付き紙箱の一実施形態の開封後の概略図であり、（１）は上方から見た平面図（２）は側面から見た概略図を示す。
【００３１】
通常の使用法においては、図２に示した包装状態から切出口（７Ａ）、（７Ｂ）をきっかけにして切断手段（６Ａ）、（６Ｂ）、ジッパー等の切断手段（８Ａ）、（８Ｂ），（１０）、切断手段（９Ａ）、（９Ｂ）の前方部を切り離し、必要なら前方側壁（図示せず）も除去する。
【００３２】
次に天面板前方部（看板部）（１１Ａ）を看板基部罫線（２）に沿って上方に折り曲げる。この時に２本のＺ字状の切れ目線で挟まれた部分は切れ目線で切離されているので、図３に示すように折罫線（３）、（４）、（５）に沿って折れ曲がり、第３切れ目線（１Ａ３）と第２切れ目線（１Ａ２）で形成された鋭角端面と第２切れ目線（１Ａ２）と第１切れ目線（１Ａ１）で形成された鋭角端面が接触係合し、同時に第３切れ目線（１Ｂ３）と第２切れ目線（１Ｂ２）で形成された鋭角端面と第２切れ目線（１Ｂ２）と第１切れ目線（１Ｂ１）で形成された鋭角端面が接触係合することにより起立した天面板前方部（看板部）（１１Ａ）が起立状態を保持する。
【００３３】
また、図２（１）に示したような切れ目線（１Ａ３）の後方端の折罫線（３）と切れ目線（１Ａ１）の後方端の折罫線（４）との距離（ａ）、切れ目線（１Ａ１）の後方端の折罫線（４）と切れ目線（１Ａ１）の前方端の折罫線（５）との距離（ｂ）および看板基部罫線（２）と切れ目線（１Ａ１）の前方端の折罫線（５）との距離（ｃ）の比率が２：１：１．６前後になるように設けることにより、図３看板起立・保持角度（θ）に示した看板部が天面に対してなす角度を約９０度すなわち、ほぼ直角に起立させることが可能になる。
【００３４】
本発明の開封機能付き紙箱の材質としては、ダンボールやコート紙などの容器として周知の材料が使用出来る。
【００３５】
本発明の開封機能付き紙箱の固着には、公知の接着剤を使用することができる。紙箱が厚紙と熱可塑性合成樹脂シートとのラミネートシートや熱可塑性合成樹脂シートから形成されている場合は、接着剤の他に、ヒートシールや超音波接合等の熱による溶着手段を利用することもできる。
【符号の説明】
【００３６】
１Ａ…Ｚ字状切れ目線
１Ａ１…第１切れ目線
１Ａ２…第２切れ目線
１Ａ３…第３切れ目線
１Ｂ…Ｚ字状切れ目線
１Ｂ１…第１切れ目線
１Ｂ２…第２切れ目線
１Ｂ３…第３切れ目線
２…看板基部罫線（谷折罫線）
３…谷折罫線
４…谷折罫線
５…山折罫線
６Ａ…切断手段
６Ｂ…切断手段
７…切出口
７Ａ…切出口
７Ｂ…切出口
８Ａ…切断手段
８Ｂ…切断手段
９…切断手段
９Ａ…切断手段
９Ｂ…切断手段
１０…切断手段
１１…天面板
１１Ａ…天面板前方部（看板部）
１１Ｂ…天面板後方部
１２…側面板
１３…側面板
１４…底面板
１５…接着フラップ
Ａ…第１切れ目線側端部と第３切れ目線側端部を結ぶ線
Ｂ…第１切れ目線側端部と第３切れ目線側端部を結ぶ線
ａ…第３切れ目線高さ
ｂ…第１切れ目線高さ
ｃ…看板基部罫線から第１切れ目線前端までの高さ
θ…看板起立・保持角度
【図１】
2010173707.tif 000003
【図２】
2010173707.tif 000004
【図３】
2010173707.tif 000005
【図４】
2010173707.tif 000006